(57)【要約】【課題】本発明は温度制御可能な省エネルギーの電気温水器を開示した。【解決手段】メインケースと固定板とを含み、前記メインケースが前記固定板の前側面に固定的に設置され、前記固定板はボルトによって壁に固定され、前記メインケースの中には貯水チャンバが設置され、前記貯水チャンバの中には加熱機構が設置され、前記加熱機構は水を加熱することができ、前記貯水チャンバの中にはまた撹拌機構が設置され、前記撹拌機構は水を加熱する時に回転でき、それは水を均等に加熱することができ、本発明の電気温水器は加熱機構と撹拌機構とによって水を加熱することができ、撹拌機構の中の回転板は水を貯水チャンバの中で均等に撹拌でき、それによって水をより速く加熱し、時間を節約し、もっと省エネルギーである。【選択図】図１
2020197362.tif 000002
【特許請求の範囲】
【請求項１】
正面視で、メインケースと固定板とを含み、前記メインケースが前記固定板の前側面に固定的に設置され、前記固定板はボルトによって壁に固定され、前記メインケースの中には貯水チャンバが設置され、前記貯水チャンバの中には加熱機構が設置され、前記加熱機構は水を加熱することができ、前記貯水チャンバの中にはまた撹拌機構が設置され、前記撹拌機構は水を加熱する時に回転でき、それは水を均等に加熱することができ、それによって加熱時間を短縮し、エネルギーを節約し、
前記貯水チャンバの左側壁の中にはスライドチャンバが設置され、前記スライドチャンバの底部が前記貯水チャンバと連通しており、前記スライドチャンバの中には接触式センサー機構が設置され、前記接触式センサー機構は水を制御して前記貯水チャンバの中に入らせることができ、前記スライドチャンバの中にはまた阻止用板機構が設置され、前記阻止用板機構は前記撹拌機構が作動する時に、水が前記スライドチャンバの中に入ることを阻止でき、前記貯水チャンバの頂部の前記メインケースの中には伝動チャンバが設置され、前記伝動チャンバの中には伝動機構が設置され、前記スライドチャンバの右側の前記メインケースの中には動力チャンバが設置され、前記動力チャンバの中には動力機構が設置され、前記動力機構は前記伝動機構と前記阻止用板機構とに動力を提供することができることを特徴とする温度制御可能な省エネルギーの電気温水器。
【請求項２】
前記加熱機構は前記貯水チャンバの内壁に固定的に設置された電熱網を含み、前記電熱網は前記貯水チャンバの中の水を加熱することができ、前記撹拌機構は前記貯水チャンバの左側内壁の中に固定的に嵌められた第一モーターを含み、前記第一モーターの右端には右方に伸びて設置された撹拌軸が動力が伝達できるように連結され、前記撹拌軸の右側の伸びている部分が前記撹拌軸の中に伸びており、また前記撹拌軸の右端が前記貯水チャンバの右壁と回転できるように連結され、前記貯水チャンバの中に位置している前記撹拌軸の外周には回転板が固定的に設置され、前記回転板には二列の抜き穴が設置され、二列の前記抜き穴は前記撹拌軸に関して対称的に設置され、前記第一モーターの底部の前記メインケースの中には中央制御装置が固定的に嵌められており、前記中央制御装置が前記第一モーターと通電できるように連結されていることを特徴とする請求項１に記載の温度制御可能な省エネルギーの電気温水器。
【請求項３】
前記接触式センサー機構は前記スライドチャンバの右壁の中に固定的に嵌められた第一センサーを含み、前記第一センサーが前記中央制御装置と通電できるように連結され、前記第一センサーは前記スライドチャンバの右壁の中のうち上側に近接しているところに位置しており、前記スライドチャンバの中には漂いスライドブロックがスライドできるように設置され、前記漂いスライドブロックは密度が小さい材料で作られ、前記漂いスライドブロックは水面に漂うことができ、前記漂いスライドブロックの右側面の中には第二センサーが固定的に設置され、前記第二センサーは前記第一センサーと当接することができることを特徴とする請求項１に記載の温度制御可能な省エネルギーの電気温水器。
【請求項４】
前記阻止用板機構は前記スライドチャンバの右側壁の中に設置されたスライドスペースを含み、前記スライドスペースが前記スライドチャンバと連通するように設置され、前記スライドスペースの中には阻止用板がスライドできるように設置され、前記阻止用板の頂面にはばねが固定的に設置され、前記スライドスペースの右側の前記メインケースの中には伝動リールが回転できるように設置され、前記阻止用板の右側面には引き紐が固定的に設置され、前記引き紐は前記伝動リールが方向をガイドすることによって上方へ前記動力チャンバの中に入ることを特徴とする請求項１に記載の温度制御可能な省エネルギーの電気温水器。
【請求項５】
前記動力機構は前記動力チャンバの左側壁の中に固定的に嵌められた第二モーターを含み、前記第二モーターが前記中央制御装置と通電できるように連結され、前記第二モーターの右端には動力軸が動力が伝達できるように連結され、前記動力軸の外周には動力リールが固定的に設置され、前記動力リールが前記引き紐と固定され、前記動力軸の外周にはまた動力ベベルギヤが固定的に設置されていることを特徴とする請求項１に記載の温度制御可能な省エネルギーの電気温水器。
【請求項６】
前記伝動機構は前記伝動チャンバと前記動力チャンバとの間に回転できるように設置された伝動軸を含み、前記伝動軸が上下に伸びることができるように設置され、前記伝動軸の頂部の伸びている部分が前記伝動チャンバの中に伸びており、また前記伝動軸の頂部の伸びている部分の末端には動力プーリが固定的に設置され、前記伝動軸の底部の部分が前記動力チャンバの中に伸びており、また前記伝動軸の底部の部分の末端には従動ベベルギヤが固定的に設置され、前記従動ベベルギヤが前記動力ベベルギヤと噛み合っており、前記伝動チャンバの頂壁には縦軸が回転できるように設置され、前記縦軸の外周には従動プーリが固定的に設置され、前記従動プーリと前記動力プーリとの間がベルトによって動力が伝達できるように連結され、前記縦軸の底端にはギヤが固定的に設置されていることを特徴とする請求項１に記載の温度制御可能な省エネルギーの電気温水器。
【請求項７】
前記伝動チャンバのうち左側に近接している底壁には凹みスペースが設置され、前記凹みスペースの左右両側の内壁の間には横軸が回転できるように設置され、前記横軸の外周には回転盤が固定的に設置され、前記回転盤には円形穴が設置され、前記凹みスペースの中には二つの水入りパイプが設置され、二つの前記水入りパイプは前記回転盤に関して左右対称的に設置され、右側の前記水入りパイプが前記貯水チャンバと連通しており、左側の前記水入りパイプが外部空間の水源と連通しており、前記回転盤は二つの前記水入りパイプの間に回転することによって、左右両側の前記水入りパイプが連通しなくなることを特徴とする請求項１に記載の温度制御可能な省エネルギーの電気温水器。
【請求項８】
前記貯水チャンバの底壁には水出管路が固定的に設置され、前記水出管路の底部の部分が前記メインケースの外に伸びており、また前記メインケースの外に位置している前記水出管路の外周にはシャワー用管路がネジで締まれるように取り付けられ、前記シャワー用管路の内部が前記貯水チャンバと連通していることを特徴とする請求項１に記載の温度制御可能な省エネルギーの電気温水器。
【発明の詳細な説明】
【技術分野】
【０００１】
本発明は湯沸器技術分野に関わり、具体的には温度制御可能な省エネルギーの電気温水器である。
【背景技術】
【０００２】
人々は生活水準が向上するにつれて、生活の質への要求も高くなり、寝る前にシャワーを浴びるのは人にとって当然なことであり、従って、電気温水器の発展を促進し、目下、伝統的な民需電気温水器は一般的に電熱器を利用して水を加熱し、加熱の過程には、水を予備加熱することが必要であり、しかも伝統的な電気温水器は加熱時間が長く、その時間が長いと水が失う熱量が多くなり、消耗の電気エネルギーも多くなり、従って、水を快速に加熱でき、電気エネルギーを節約できる電気温水器をデザインする必要がある。
【先行技術文献】
【特許文献】
【０００３】
【特許文献１】中国特許出願公開第１００５２６７５０号明細書
【発明の概要】
【発明が解決しようとする課題】
【０００４】
本発明は温度制御可能な省エネルギーの電気温水器を提供し、既存技術にある上記欠点を解消することを目的とする。
【課題を解決するための手段】
【０００５】
本発明の温度制御可能な省エネルギーの電気温水器は、メインケースと固定板とを含み、前記メインケースが前記固定板の前側面に固定的に設置され、前記固定板はボルトによって壁に固定され、前記メインケースの中には貯水チャンバが設置され、前記貯水チャンバの中には加熱機構が設置され、前記加熱機構は水を加熱することができ、前記貯水チャンバの中にはまた撹拌機構が設置され、前記撹拌機構は水を加熱する時に回転でき、それは水を均等に加熱することができ、それによって加熱時間を短縮し、エネルギーを節約する。
【０００６】
前記貯水チャンバの左側壁の中にはスライドチャンバが設置され、前記スライドチャンバの底部が前記貯水チャンバと連通しており、前記スライドチャンバの中には接触式センサー機構が設置され、前記接触式センサー機構は水を制御して前記貯水チャンバの中に入らせることができ、前記スライドチャンバの中にはまた阻止用板機構が設置され、前記阻止用板機構は前記撹拌機構が作動する時に、水が前記スライドチャンバの中に入ることを阻止でき、前記貯水チャンバの頂部の前記メインケースの中には伝動チャンバが設置され、前記伝動チャンバの中には伝動機構が設置され、前記スライドチャンバの右側の前記メインケースの中には動力チャンバが設置され、前記動力チャンバの中には動力機構が設置され、前記動力機構は前記伝動機構と前記阻止用板機構とに動力を提供することができる。
【０００７】
さらなる技術プランには、前記加熱機構は前記貯水チャンバの内壁に固定的に設置された電熱網を含み、前記電熱網は前記貯水チャンバの中の水を加熱することができ、前記撹拌機構は前記貯水チャンバの左側内壁の中に固定的に嵌められた第一モーターを含み、前記第一モーターの右端には右方に伸びて設置された撹拌軸が動力が伝達できるように連結され、前記撹拌軸の右側の伸びている部分が前記撹拌軸の中に伸びており、また前記撹拌軸の右端が前記貯水チャンバの右壁と回転できるように連結され、前記貯水チャンバの中に位置している前記撹拌軸の外周には回転板が固定的に設置され、前記回転板には二列の抜き穴が設置され、二列の前記抜き穴は前記撹拌軸に関して対称的に設置され、前記第一モーターの底部の前記メインケースの中には中央制御装置が固定的に嵌められており、前記中央制御装置が前記第一モーターと通電できるように連結されている。
【０００８】
さらなる技術プランには、前記接触式センサー機構は前記スライドチャンバの右壁の中に固定的に嵌められた第一センサーを含み、前記第一センサーが前記中央制御装置と通電できるように連結され、前記第一センサーは前記スライドチャンバの右壁の中のうち上側に近接しているところに位置しており、前記スライドチャンバの中には漂いスライドブロックがスライドできるように設置され、前記漂いスライドブロックは密度が小さい材料で作られ、前記漂いスライドブロックは水面に漂うことができ、前記漂いスライドブロックの右側面の中には第二センサーが固定的に設置され、前記第二センサーは前記第一センサーと当接することができる。
【０００９】
さらなる技術プランには、前記阻止用板機構は前記スライドチャンバの右側壁の中に設置されたスライドスペースを含み、前記スライドスペースが前記スライドチャンバと連通するように設置され、前記スライドスペースの中には阻止用板がスライドできるように設置され、前記阻止用板の頂面にはばねが固定的に設置され、前記スライドスペースの右側の前記メインケースの中には伝動リールが回転できるように設置され、前記阻止用板の右側面には引き紐が固定的に設置され、前記引き紐は前記伝動リールが方向をガイドすることによって上方へ前記動力チャンバの中に入る。
【００１０】
有益なまたは例示のように、前記動力機構は前記動力チャンバの左側壁の中に固定的に嵌められた第二モーターを含み、前記第二モーターが前記中央制御装置と通電できるように連結され、前記第二モーターの右端には動力軸が動力が伝達できるように連結され、前記動力軸の外周には動力リールが固定的に設置され、前記動力リールが前記引き紐と固定され、前記動力軸の外周にはまた動力ベベルギヤが固定的に設置されている。
【００１１】
有益なまたは例示のように、前記伝動機構は前記伝動チャンバと前記動力チャンバとの間に回転できるように設置された伝動軸を含み、前記伝動軸が上下に伸びることができるように設置され、前記伝動軸の頂部の伸びている部分が前記伝動チャンバの中に伸びており、また前記伝動軸の頂部の伸びている部分の末端には動力プーリが固定的に設置され、前記伝動軸の底部の部分が前記動力チャンバの中に伸びており、また前記伝動軸の底部の部分の末端には従動ベベルギヤが固定的に設置され、前記従動ベベルギヤが前記動力ベベルギヤと噛み合っており、前記伝動チャンバの頂壁には縦軸が回転できるように設置され、前記縦軸の外周には従動プーリが固定的に設置され、前記従動プーリと前記動力プーリとの間がベルトによって動力が伝達できるように連結され、前記縦軸の底端にはギヤが固定的に設置されている。
【００１２】
さらなる技術プランには、前記伝動チャンバのうち左側に近接している底壁には凹みスペースが設置され、前記凹みスペースの左右両側の内壁の間には横軸が回転できるように設置され、前記横軸の外周には回転盤が固定的に設置され、前記回転盤には円形穴が設置され、前記凹みスペースの中には二つの水入りパイプが設置され、二つの前記水入りパイプは前記回転盤に関して左右対称的に設置され、右側の前記水入りパイプが前記貯水チャンバと連通しており、左側の前記水入りパイプが外部空間の水源と連通しており、前記回転盤は二つの前記水入りパイプの間に回転することによって、左右両側の前記水入りパイプが連通しなくなる。
【００１３】
さらなる技術プランには、前記貯水チャンバの底壁には水出管路が固定的に設置され、前記水出管路の底部の部分が前記メインケースの外に伸びており、また前記メインケースの外に位置している前記水出管路の外周にはシャワー用管路がネジで締まれるように取り付けられ、前記シャワー用管路の内部が前記貯水チャンバと連通している。
【発明の効果】
【００１４】
本発明の有益な効果は：本発明の電気温水器は加熱機構と撹拌機構とによって水を加熱することができ、撹拌機構の中の回転板は水を貯水チャンバの中で均等に撹拌でき、それによって水をより速く加熱し、時間を節約し、もっと省エネルギーであり、しかも電気温水器は貯水チャンバの中の水がない時に、水を自動的に入れる作動を行え、次回に水を直接に加熱して使うことに便利を与え、それと同時に構成が簡単で、ギヤと回転軸との協働によって伝動がもっと安定し、そのほか、本電気温水器は操作が便利で、普及しやすい。
【図面の簡単な説明】
【００１５】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の温度制御可能な省エネルギーの電気温水器の内部全体構成概略図
【図２】図２は本発明の図１の中のＡの部分拡大概略図
【図３】図３は本発明の図１の中のＢの部分拡大概略図
【発明を実施するための形態】
【００１７】
図１〜３を参照し、本発明の実施例の温度制御可能な省エネルギーの電気温水器は、メインケース１０と固定板１１とを含み、前記メインケース１０が前記固定板１１の前側面に固定的に設置され、前記固定板１１はボルト１２によって壁に固定され、前記メインケース１０の中には貯水チャンバ２３が設置され、前記貯水チャンバ２３の中には加熱機構６１が設置され、前記加熱機構６１は水を加熱することができ、前記貯水チャンバ２３の中にはまた撹拌機構が設置され、前記撹拌機構は水を加熱する時に回転でき、それは水を均等に加熱することができ、それによって加熱時間を短縮し、エネルギーを節約し、前記貯水チャンバ２３の左側壁の中にはスライドチャンバ３１が設置され、前記スライドチャンバ３１の底部が前記貯水チャンバ２３と連通しており、前記スライドチャンバ３１の中には接触式センサー機構７２が設置され、前記接触式センサー機構７２は水を制御して前記貯水チャンバ２３の中に入らせることができ、前記スライドチャンバ３１の中にはまた阻止用板機構７３が設置され、前記阻止用板機構７３は前記撹拌機構が作動する時に、水が前記スライドチャンバ３１の中に入ることを阻止でき、前記貯水チャンバ２３の頂部の前記メインケース１０の中には伝動チャンバ２６が設置され、前記伝動チャンバ２６の中には伝動機構７５が設置され、前記スライドチャンバ３１の右側の前記メインケース１０の中には動力チャンバ４３が設置され、前記動力チャンバ４３の中には動力機構７４が設置され、前記動力機構７４は前記伝動機構７５と前記阻止用板機構７３とに動力を提供することができる。
【００１８】
有益なまたは例示のように、前記加熱機構６１は前記貯水チャンバ２３の内壁に固定的に設置された電熱網１６を含み、前記電熱網１６は前記貯水チャンバ２３の中の水を加熱することができ、前記撹拌機構は前記貯水チャンバ２３の左側内壁の中に固定的に嵌められた第一モーター１９を含み、前記第一モーター１９の右端には右方に伸びて設置された撹拌軸２０が動力が伝達できるように連結され、前記撹拌軸２０の右側の伸びている部分が前記撹拌軸２０の中に伸びており、また前記撹拌軸２０の右端が前記貯水チャンバ２３の右壁と回転できるように連結され、前記貯水チャンバ２３の中に位置している前記撹拌軸２０の外周には回転板２１が固定的に設置され、前記回転板２１には二列の抜き穴２２が設置され、二列の前記抜き穴２２は前記撹拌軸２０に関して対称的に設置され、前記第一モーター１９の底部の前記メインケース１０の中には中央制御装置１８が固定的に嵌められており、前記中央制御装置１８が前記第一モーター１９と通電できるように連結され、
前記中央制御装置１８によって前記第一モーター１９を制御して作動させ、さらに前記撹拌軸２０に前記回転板２１を回転連動させ、それによって水は均等に加熱されることができ、加熱効率が高められ、エネルギーが節約される。
【００１９】
有益なまたは例示のように、前記接触式センサー機構７２は前記スライドチャンバ３１の右壁の中に固定的に嵌められた第一センサー３０を含み、前記第一センサー３０が前記中央制御装置１８と通電できるように連結され、前記第一センサー３０は前記スライドチャンバ３１の右壁の中のうち上側に近接しているところに位置しており、前記スライドチャンバ３１の中には漂いスライドブロック３２がスライドできるように設置され、前記漂いスライドブロック３２は密度が小さい材料で作られ、前記漂いスライドブロック３２は水面に漂うことができ、前記漂いスライドブロック３２の右側面の中には第二センサー３３が固定的に設置され、前記第二センサー３３は前記第一センサー３０と当接することができ、
前記漂いスライドブロック３２が上方へ移動することによって、前記第二センサー３３が前記第一センサー３０と当接した時、前記第一センサー３０が前記中央制御装置１８に信号を出し、それによって前記阻止用板機構７３が閉じる。
【００２０】
有益なまたは例示のように、前記阻止用板機構７３は前記スライドチャンバ３１の右側壁の中に設置されたスライドスペース３７を含み、前記スライドスペース３７が前記スライドチャンバ３１と連通するように設置され、前記スライドスペース３７の中には阻止用板３４がスライドできるように設置され、前記阻止用板３４の頂面にはばね３５が固定的に設置され、前記スライドスペース３７の右側の前記メインケース１０の中には伝動リール３８が回転できるように設置され、前記阻止用板３４の右側面には引き紐３６が固定的に設置され、前記引き紐３６は前記伝動リール３８が方向をガイドすることによって上方へ前記動力チャンバ４３の中に入り、前記阻止用板３４のスライドによって前記スライドチャンバ３１が止められ、さらに前記撹拌機構が作動する時に、前記スライドチャンバ３１の中の水は揺れ動かない。
【００２１】
有益なまたは例示のように、前記動力機構７４は前記動力チャンバ４３の左側壁の中に固定的に嵌められた第二モーター４０を含み、前記第二モーター４０が前記中央制御装置１８と通電できるように連結され、前記第二モーター４０の右端には動力軸４４が動力が伝達できるように連結され、前記動力軸４４の外周には動力リール４１が固定的に設置され、前記動力リール４１が前記引き紐３６と固定され、前記動力軸４４の外周にはまた動力ベベルギヤ４２が固定的に設置されている。
【００２２】
有益なまたは例示のように、前記伝動機構７５は前記伝動チャンバ２６と前記動力チャンバ４３との間に回転できるように設置された伝動軸２９を含み、前記伝動軸２９が上下に伸びることができるように設置され、前記伝動軸２９の頂部の伸びている部分が前記伝動チャンバ２６の中に伸びており、また前記伝動軸２９の頂部の伸びている部分の末端には動力プーリ２８が固定的に設置され、前記伝動軸２９の底部の部分が前記動力チャンバ４３の中に伸びており、また前記伝動軸２９の底部の部分の末端には従動ベベルギヤ４５が固定的に設置され、前記従動ベベルギヤ４５が前記動力ベベルギヤ４２と噛み合っており、前記伝動チャンバ２６の頂壁には縦軸４７が回転できるように設置され、前記縦軸４７の外周には従動プーリ４８が固定的に設置され、前記従動プーリ４８と前記動力プーリ２８との間がベルト２７によって動力が伝達できるように連結され、前記縦軸４７の底端にはギヤ４９が固定的に設置されている。
【００２３】
有益なまたは例示のように、前記伝動チャンバ２６のうち左側に近接している底壁には凹みスペース４６が設置され、前記凹みスペース４６の左右両側の内壁の間には横軸５１が回転できるように設置され、前記横軸５１の外周には回転盤５２が固定的に設置され、前記回転盤５２には円形穴５０が設置され、前記凹みスペース４６の中には二つの水入りパイプ２５が設置され、二つの前記水入りパイプ２５は前記回転盤５２に関して左右対称的に設置され、右側の前記水入りパイプ２５が前記貯水チャンバ２３と連通しており、左側の前記水入りパイプ２５が外部空間の水源と連通しており、前記回転盤５２は二つの前記水入りパイプ２５の間に回転することによって、左右両側の前記水入りパイプ２５が連通しなくなり、
前記第二モーター４０を制御して作動させることによって、前記伝動軸２９が回転し、さらに前記縦軸４７が回転し、それによって前記回転盤５２が回転し、左右両側の前記水入りパイプ２５を塞ぎ、加熱の時に、前記貯水チャンバ２３の中の水は外部空間の水源と熱交換が発生し、熱量は失いすぎることを防止する。
【００２４】
有益なまたは例示のように、前記貯水チャンバ２３の底壁には水出管路１４が固定的に設置され、前記水出管路１４の底部の部分が前記メインケースの外に伸びており、また前記メインケース１０の外に位置している前記水出管路１４の外周にはシャワー用管路１３がネジで締まれるように取り付けられ、前記シャワー用管路１３の内部が前記貯水チャンバ２３と連通している。
【００２５】
使用の時に、中央制御装置１８は第二モーターを制御して作動させ、それによって動力軸４４が回転し、動力軸４４が動力リール４１を回転連動させ、さらに引き紐３６が阻止用板３４を引き動かして左方へスライドさせて開け、それと同時に動力ベベルギヤ４２が従動ベベルギヤ４５を回転連動させ、さらに伝動軸２９が回転し、それによって動力プーリ２８が回転し、それによってベルト２７が従動プーリ４８を引き動かして回転させ、それによってギヤ４９が回転盤５２を回転連動させ、それによって円形穴５０が下方に回転し、さらに水入りパイプ２５が貯水チャンバ２３と連通し、外部空間の水源が貯水チャンバ２３の中に入り、同時に水がスライドチャンバ３１の中に入り、それによって漂いスライドブロック３２が上方へスライドし、水がいっぱいになった時、第二センサー３３が第一センサー３０と接触し、それによって第一センサー３０が中央制御装置１８に信号を出し、それによって中央制御装置１８が第二モーター４０を制御して反転させ、それと同時に中央制御装置１８が第一モーター１９と電熱網１６とを制御して作動させ、それによって水が加熱されて回転板２１が回転し、加熱効率を高め、設定された温度まで加熱した後、中央制御装置１８が第一モーター１９を自動的に制御して停電させ、お湯を使い、使い終わった後に中央制御装置１８が第二モーター４０を制御して作動させ、阻止用板機構７３を開け、円形穴５０が水入りパイプ２５と連通し、さらに水を貯水チャンバ２３の中に入らせ、貯水チャンバ２３の内部を水で充填し、次に使用する時に中央制御装置１８によって加熱機構６１を制御すれば良い。
【００２６】
本発明の有益な効果は：本発明の電気温水器は加熱機構と撹拌機構とによって水を加熱することができ、撹拌機構の中の回転板は水を貯水チャンバの中で均等に撹拌でき、それによって水をより速く加熱し、時間を節約し、もっと省エネルギーであり、しかも電気温水器は貯水チャンバの中の水がない時に、水を自動的に入れる作動を行え、次回に水を直接に加熱して使うことに便利を与え、それと同時に構成が簡単で、ギヤと回転軸との協働によって伝動がもっと安定し、そのほか、本電気温水器は操作が便利で、普及しやすい。
【００２７】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020197362.tif 000003
【図２】
2020197362.tif 000004
【図３】
2020197362.tif 000005
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
正面視で、メインケースと固定板とを含み、前記メインケースが前記固定板の前側面に固定的に設置され、前記固定板はボルトによって壁に固定され、前記メインケースの中には貯水チャンバが設置され、前記貯水チャンバの中には加熱機構が設置され、前記加熱機構は水を加熱することができ、前記貯水チャンバの中にはまた撹拌機構が設置され、前記撹拌機構は水を加熱する時に回転でき、それは水を均等に加熱することができ、それによって加熱時間を短縮し、エネルギーを節約し、前記貯水チャンバの右側壁の中にはスライドチャンバが設置され、前記スライドチャンバの底部が前記貯水チャンバと連通しており、前記スライドチャンバの中には接触式センサー機構が設置され、前記接触式センサー機構は水を制御して前記貯水チャンバの中に入らせることができ、前記スライドチャンバの中にはまた阻止用板機構が設置され、前記阻止用板機構は前記撹拌機構が作動する時に、水が前記スライドチャンバの中に入ることを阻止でき、前記貯水チャンバの頂部の前記メインケースの中には伝動チャンバが設置され、前記伝動チャンバの中には伝動機構が設置され、前記スライドチャンバの右側の前記メインケースの中には動力チャンバが設置され、前記動力チャンバの中には動力機構が設置され、前記動力機構は前記伝動機構と前記阻止用板機構とに動力を提供することができることを特徴とする温度制御可能な省エネルギーの電気温水器。
【請求項２】
前記加熱機構は前記貯水チャンバの内壁に固定的に設置された電熱網を含み、前記電熱網は前記貯水チャンバの中の水を加熱することができ、前記撹拌機構は前記貯水チャンバの左側内壁の中に固定的に嵌められた第一モーターを含み、前記第一モーターの右端には右方に伸びて設置された撹拌軸が動力が伝達できるように連結され、前記撹拌軸の右側の伸びている部分が前記貯水チャンバの中に伸びており、また前記撹拌軸の右端が前記貯水チャンバの右壁と回転できるように連結され、前記貯水チャンバの中に位置している前記撹拌軸の外周には回転板が固定的に設置され、前記回転板には二列の抜き穴が設置され、二列の前記抜き穴は前記撹拌軸に関して対称的に設置され、前記第一モーターの底部の前記メインケースの中には中央制御装置が固定的に嵌められており、前記中央制御装置が前記第一モーターと通電できるように連結されていることを特徴とする請求項１に記載の温度制御可能な省エネルギーの電気温水器。
【請求項３】
前記接触式センサー機構は前記スライドチャンバの右壁の中に固定的に嵌められた第一センサーを含み、前記第一センサーが前記中央制御装置と通電できるように連結され、前記第一センサーは前記スライドチャンバの右壁の中のうち上側に近接しているところに位置しており、前記スライドチャンバの中には漂いスライドブロックがスライドできるように設置され、前記漂いスライドブロックは密度が小さい材料で作られ、前記漂いスライドブロックは水面に漂うことができ、前記漂いスライドブロックの右側面の中には第二センサーが固定的に設置され、前記第二センサーは前記第一センサーと当接することができることを特徴とする請求項１に記載の温度制御可能な省エネルギーの電気温水器。
【請求項４】
前記阻止用板機構は前記スライドチャンバの右側壁の中に設置されたスライドスペースを含み、前記スライドスペースが前記スライドチャンバと連通するように設置され、前記スライドスペースの中には阻止用板がスライドできるように設置され、前記阻止用板の頂面にはばねが固定的に設置され、前記スライドスペースの右側の前記メインケースの中には伝動リールが回転できるように設置され、前記阻止用板の右側面には引き紐が固定的に設置され、前記引き紐は前記伝動リールが方向をガイドすることによって上方へ前記動力チャンバの中に入ることを特徴とする請求項１に記載の温度制御可能な省エネルギーの電気温水器。
【請求項５】
前記動力機構は前記動力チャンバの左側壁の中に固定的に嵌められた第二モーターを含み、前記第二モーターが前記中央制御装置と通電できるように連結され、前記第二モーターの右端には動力軸が動力が伝達できるように連結され、前記動力軸の外周には動力リールが固定的に設置され、前記動力リールが前記引き紐と固定され、前記動力軸の外周にはまた動力ベベルギヤが固定的に設置されていることを特徴とする請求項１に記載の温度制御可能な省エネルギーの電気温水器。
【請求項６】
前記伝動機構は前記伝動チャンバと前記動力チャンバとの間に回転できるように設置された伝動軸を含み、前記伝動軸が上下に伸びることができるように設置され、前記伝動軸の頂部の伸びている部分が前記伝動チャンバの中に伸びており、また前記伝動軸の頂部の伸びている部分の末端には動力プーリが固定的に設置され、前記伝動軸の底部の部分が前記動力チャンバの中に伸びており、また前記伝動軸の底部の部分の末端には従動ベベルギヤが固定的に設置され、前記従動ベベルギヤが前記動力ベベルギヤと噛み合っており、前記伝動チャンバの頂壁には縦軸が回転できるように設置され、前記縦軸の外周には従動プーリが固定的に設置され、前記従動プーリと前記動力プーリとの間がベルトによって動力が伝達できるように連結され、前記縦軸の底端にはギヤが固定的に設置されていることを特徴とする請求項５に記載の温度制御可能な省エネルギーの電気温水器。
【請求項７】
前記伝動チャンバのうち左側に近接している底壁には凹みスペースが設置され、前記凹みスペースの左右両側の内壁の間には横軸が回転できるように設置され、前記横軸の外周には回転盤が固定的に設置され、前記回転盤には円形穴が設置され、前記凹みスペースの中には二つの水入りパイプが設置され、二つの前記水入りパイプは前記回転盤に関して左右対称的に設置され、右側の前記水入りパイプが前記貯水チャンバと連通しており、左側の前記水入りパイプが外部空間の水源と連通しており、前記回転盤は二つの前記水入りパイプの間に回転することによって、左右両側の前記水入りパイプが連通しなくなることを特徴とする請求項１に記載の温度制御可能な省エネルギーの電気温水器。
【請求項８】
前記貯水チャンバの底壁には水出管路が固定的に設置され、前記水出管路の底部の部分が前記メインケースの外に伸びており、また前記メインケースの外に位置している前記水出管路の外周にはシャワー用管路がネジで締まれるように取り付けられ、前記シャワー用管路の内部が前記貯水チャンバと連通していることを特徴とする請求項１に記載の温度制御可能な省エネルギーの電気温水器。
【手続補正２】
【補正対象書類名】明細書
【補正対象項目名】全文
【補正方法】変更
【補正の内容】
【発明の詳細な説明】
【技術分野】
【０００１】
本発明は湯沸器技術分野に関わり、具体的には温度制御可能な省エネルギーの電気温水器である。
【背景技術】
【０００２】
人々は生活水準が向上するにつれて、生活の質への要求も高くなり、寝る前にシャワーを浴びるのは人にとって当然なことであり、従って、電気温水器の発展を促進し、目下、伝統的な民需電気温水器は一般的に電熱器を利用して水を加熱し、加熱の過程には、水を予備加熱することが必要であり、しかも伝統的な電気温水器は加熱時間が長く、その時間が長いと水が失う熱量が多くなり、消耗の電気エネルギーも多くなり、従って、水を快速に加熱でき、電気エネルギーを節約できる電気温水器をデザインする必要がある。
【先行技術文献】
【特許文献】
【０００３】
【特許文献１】中国特許出願公開第１００５２６７５０号明細書
【発明の概要】
【発明が解決しようとする課題】
【０００４】
本発明は温度制御可能な省エネルギーの電気温水器を提供し、既存技術にある上記欠点を解消することを目的とする。
【課題を解決するための手段】
【０００５】
本発明の温度制御可能な省エネルギーの電気温水器は、メインケースと固定板とを含み、前記メインケースが前記固定板の前側面に固定的に設置され、前記固定板はボルトによって壁に固定され、前記メインケースの中には貯水チャンバが設置され、前記貯水チャンバの中には加熱機構が設置され、前記加熱機構は水を加熱することができ、前記貯水チャンバの中にはまた撹拌機構が設置され、前記撹拌機構は水を加熱する時に回転でき、それは水を均等に加熱することができ、それによって加熱時間を短縮し、エネルギーを節約する。
【０００６】
前記貯水チャンバの右側壁の中にはスライドチャンバが設置され、前記スライドチャンバの底部が前記貯水チャンバと連通しており、前記スライドチャンバの中には接触式センサー機構が設置され、前記接触式センサー機構は水を制御して前記貯水チャンバの中に入らせることができ、前記スライドチャンバの中にはまた阻止用板機構が設置され、前記阻止用板機構は前記撹拌機構が作動する時に、水が前記スライドチャンバの中に入ることを阻止でき、前記貯水チャンバの頂部の前記メインケースの中には伝動チャンバが設置され、前記伝動チャンバの中には伝動機構が設置され、前記スライドチャンバの右側の前記メインケースの中には動力チャンバが設置され、前記動力チャンバの中には動力機構が設置され、前記動力機構は前記伝動機構と前記阻止用板機構とに動力を提供することができる。
【０００７】
さらなる技術プランには、前記加熱機構は前記貯水チャンバの内壁に固定的に設置された電熱網を含み、前記電熱網は前記貯水チャンバの中の水を加熱することができ、前記撹拌機構は前記貯水チャンバの左側内壁の中に固定的に嵌められた第一モーターを含み、前記第一モーターの右端には右方に伸びて設置された撹拌軸が動力が伝達できるように連結され、前記撹拌軸の右側の伸びている部分が前記貯水チャンバの中に伸びており、また前記撹拌軸の右端が前記貯水チャンバの右壁と回転できるように連結され、前記貯水チャンバの中に位置している前記撹拌軸の外周には回転板が固定的に設置され、前記回転板には二列の抜き穴が設置され、二列の前記抜き穴は前記撹拌軸に関して対称的に設置され、前記第一モーターの底部の前記メインケースの中には中央制御装置が固定的に嵌められており、前記中央制御装置が前記第一モーターと通電できるように連結されている。
【０００８】
さらなる技術プランには、前記接触式センサー機構は前記スライドチャンバの右壁の中に固定的に嵌められた第一センサーを含み、前記第一センサーが前記中央制御装置と通電できるように連結され、前記第一センサーは前記スライドチャンバの右壁の中のうち上側に近接しているところに位置しており、前記スライドチャンバの中には漂いスライドブロックがスライドできるように設置され、前記漂いスライドブロックは密度が小さい材料で作られ、前記漂いスライドブロックは水面に漂うことができ、前記漂いスライドブロックの右側面の中には第二センサーが固定的に設置され、前記第二センサーは前記第一センサーと当接することができる。
【０００９】
さらなる技術プランには、前記阻止用板機構は前記スライドチャンバの右側壁の中に設置されたスライドスペースを含み、前記スライドスペースが前記スライドチャンバと連通するように設置され、前記スライドスペースの中には阻止用板がスライドできるように設置され、前記阻止用板の頂面にはばねが固定的に設置され、前記スライドスペースの右側の前記メインケースの中には伝動リールが回転できるように設置され、前記阻止用板の右側面には引き紐が固定的に設置され、前記引き紐は前記伝動リールが方向をガイドすることによって上方へ前記動力チャンバの中に入る。
【００１０】
有益なまたは例示のように、前記動力機構は前記動力チャンバの左側壁の中に固定的に嵌められた第二モーターを含み、前記第二モーターが前記中央制御装置と通電できるように連結され、前記第二モーターの右端には動力軸が動力が伝達できるように連結され、前記動力軸の外周には動力リールが固定的に設置され、前記動力リールが前記引き紐と固定され、前記動力軸の外周にはまた動力ベベルギヤが固定的に設置されている。
【００１１】
有益なまたは例示のように、前記伝動機構は前記伝動チャンバと前記動力チャンバとの間に回転できるように設置された伝動軸を含み、前記伝動軸が上下に伸びることができるように設置され、前記伝動軸の頂部の伸びている部分が前記伝動チャンバの中に伸びており、また前記伝動軸の頂部の伸びている部分の末端には動力プーリが固定的に設置され、前記伝動軸の底部の部分が前記動力チャンバの中に伸びており、また前記伝動軸の底部の部分の末端には従動ベベルギヤが固定的に設置され、前記従動ベベルギヤが前記動力ベベルギヤと噛み合っており、前記伝動チャンバの頂壁には縦軸が回転できるように設置され、前記縦軸の外周には従動プーリが固定的に設置され、前記従動プーリと前記動力プーリとの間がベルトによって動力が伝達できるように連結され、前記縦軸の底端にはギヤが固定的に設置されている。
【００１２】
さらなる技術プランには、前記伝動チャンバのうち左側に近接している底壁には凹みスペースが設置され、前記凹みスペースの左右両側の内壁の間には横軸が回転できるように設置され、前記横軸の外周には回転盤が固定的に設置され、前記回転盤には円形穴が設置され、前記凹みスペースの中には二つの水入りパイプが設置され、二つの前記水入りパイプは前記回転盤に関して左右対称的に設置され、右側の前記水入りパイプが前記貯水チャンバと連通しており、左側の前記水入りパイプが外部空間の水源と連通しており、前記回転盤は二つの前記水入りパイプの間に回転することによって、左右両側の前記水入りパイプが連通しなくなる。
【００１３】
さらなる技術プランには、前記貯水チャンバの底壁には水出管路が固定的に設置され、前記水出管路の底部の部分が前記メインケースの外に伸びており、また前記メインケースの外に位置している前記水出管路の外周にはシャワー用管路がネジで締まれるように取り付けられ、前記シャワー用管路の内部が前記貯水チャンバと連通している。
【発明の効果】
【００１４】
本発明の有益な効果は：本発明の電気温水器は加熱機構と撹拌機構とによって水を加熱することができ、撹拌機構の中の回転板は水を貯水チャンバの中で均等に撹拌でき、それによって水をより速く加熱し、時間を節約し、もっと省エネルギーであり、しかも電気温水器は貯水チャンバの中の水がない時に、水を自動的に入れる作動を行え、次回に水を直接に加熱して使うことに便利を与え、それと同時に構成が簡単で、ギヤと回転軸との協働によって伝動がもっと安定し、そのほか、本電気温水器は操作が便利で、普及しやすい。
【図面の簡単な説明】
【００１５】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の温度制御可能な省エネルギーの電気温水器の内部全体構成概略図
【図２】図２は本発明の図１の中のＡの部分拡大概略図
【図３】図３は本発明の図１の中のＢの部分拡大概略図
【発明を実施するための形態】
【００１７】
図１〜３を参照し、本発明の実施例の温度制御可能な省エネルギーの電気温水器は、メインケース１０と固定板１１とを含み、前記メインケース１０が前記固定板１１の前側面に固定的に設置され、前記固定板１１はボルト１２によって壁に固定され、前記メインケース１０の中には貯水チャンバ２３が設置され、前記貯水チャンバ２３の中には加熱機構６１が設置され、前記加熱機構６１は水を加熱することができ、前記貯水チャンバ２３の中にはまた撹拌機構が設置され、前記撹拌機構は水を加熱する時に回転でき、それは水を均等に加熱することができ、それによって加熱時間を短縮し、エネルギーを節約し、前記貯水チャンバ２３の右側壁の中にはスライドチャンバ３１が設置され、前記スライドチャンバ３１の底部が前記貯水チャンバ２３と連通しており、前記スライドチャンバ３１の中には接触式センサー機構７２が設置され、前記接触式センサー機構７２は水を制御して前記貯水チャンバ２３の中に入らせることができ、前記スライドチャンバ３１の中にはまた阻止用板機構７３が設置され、前記阻止用板機構７３は前記撹拌機構が作動する時に、水が前記スライドチャンバ３１の中に入ることを阻止でき、前記貯水チャンバ２３の頂部の前記メインケース１０の中には伝動チャンバ２６が設置され、前記伝動チャンバ２６の中には伝動機構７５が設置され、前記スライドチャンバ３１の右側の前記メインケース１０の中には動力チャンバ４３が設置され、前記動力チャンバ４３の中には動力機構７４が設置され、前記動力機構７４は前記伝動機構７５と前記阻止用板機構７３とに動力を提供することができる。
【００１８】
有益なまたは例示のように、前記加熱機構６１は前記貯水チャンバ２３の内壁に固定的に設置された電熱網１６を含み、前記電熱網１６は前記貯水チャンバ２３の中の水を加熱することができ、前記撹拌機構は前記貯水チャンバ２３の左側内壁の中に固定的に嵌められた第一モーター１９を含み、前記第一モーター１９の右端には右方に伸びて設置された撹拌軸２０が動力が伝達できるように連結され、前記撹拌軸２０の右側の伸びている部分が前記貯水チャンバ２３の中に伸びており、また前記撹拌軸２０の右端が前記貯水チャンバ２３の右壁と回転できるように連結され、前記貯水チャンバ２３の中に位置している前記撹拌軸２０の外周には回転板２１が固定的に設置され、前記回転板２１には二列の抜き穴２２が設置され、二列の前記抜き穴２２は前記撹拌軸２０に関して対称的に設置され、前記第一モーター１９の底部の前記メインケース１０の中には中央制御装置１８が固定的に嵌められており、前記中央制御装置１８が前記第一モーター１９と通電できるように連結され、前記中央制御装置１８によって前記第一モーター１９を制御して作動させ、さらに前記撹拌軸２０に前記回転板２１を回転連動させ、それによって水は均等に加熱されることができ、加熱効率が高められ、エネルギーが節約される。
【００１９】
有益なまたは例示のように、前記接触式センサー機構７２は前記スライドチャンバ３１の右壁の中に固定的に嵌められた第一センサー３０を含み、前記第一センサー３０が前記中央制御装置１８と通電できるように連結され、前記第一センサー３０は前記スライドチャンバ３１の右壁の中のうち上側に近接しているところに位置しており、前記スライドチャンバ３１の中には漂いスライドブロック３２がスライドできるように設置され、前記漂いスライドブロック３２は密度が小さい材料で作られ、前記漂いスライドブロック３２は水面に漂うことができ、前記漂いスライドブロック３２の右側面の中には第二センサー３３が固定的に設置され、前記第二センサー３３は前記第一センサー３０と当接することができ、前記漂いスライドブロック３２が上方へ移動することによって、前記第二センサー３３が前記第一センサー３０と当接した時、前記第一センサー３０が前記中央制御装置１８に信号を出し、それによって前記阻止用板機構７３が閉じる。
【００２０】
有益なまたは例示のように、前記阻止用板機構７３は前記スライドチャンバ３１の右側壁の中に設置されたスライドスペース３７を含み、前記スライドスペース３７が前記スライドチャンバ３１と連通するように設置され、前記スライドスペース３７の中には阻止用板３４がスライドできるように設置され、前記阻止用板３４の頂面にはばね３５が固定的に設置され、前記スライドスペース３７の右側の前記メインケース１０の中には伝動リール３８が回転できるように設置され、前記阻止用板３４の右側面には引き紐３６が固定的に設置され、前記引き紐３６は前記伝動リール３８が方向をガイドすることによって上方へ前記動力チャンバ４３の中に入り、前記阻止用板３４のスライドによって前記スライドチャンバ３１が止められ、さらに前記撹拌機構が作動する時に、前記スライドチャンバ３１の中の水は揺れ動かない。
【００２１】
有益なまたは例示のように、前記動力機構７４は前記動力チャンバ４３の左側壁の中に固定的に嵌められた第二モーター４０を含み、前記第二モーター４０が前記中央制御装置１８と通電できるように連結され、前記第二モーター４０の右端には動力軸４４が動力が伝達できるように連結され、前記動力軸４４の外周には動力リール４１が固定的に設置され、前記動力リール４１が前記引き紐３６と固定され、前記動力軸４４の外周にはまた動力ベベルギヤ４２が固定的に設置されている。
【００２２】
有益なまたは例示のように、前記伝動機構７５は前記伝動チャンバ２６と前記動力チャンバ４３との間に回転できるように設置された伝動軸２９を含み、前記伝動軸２９が上下に伸びることができるように設置され、前記伝動軸２９の頂部の伸びている部分が前記伝動チャンバ２６の中に伸びており、また前記伝動軸２９の頂部の伸びている部分の末端には動力プーリ２８が固定的に設置され、前記伝動軸２９の底部の部分が前記動力チャンバ４３の中に伸びており、また前記伝動軸２９の底部の部分の末端には従動ベベルギヤ４５が固定的に設置され、前記従動ベベルギヤ４５が前記動力ベベルギヤ４２と噛み合っており、前記伝動チャンバ２６の頂壁には縦軸４７が回転できるように設置され、前記縦軸４７の外周には従動プーリ４８が固定的に設置され、前記従動プーリ４８と前記動力プーリ２８との間がベルト２７によって動力が伝達できるように連結され、前記縦軸４７の底端にはギヤ４９が固定的に設置されている。
【００２３】
有益なまたは例示のように、前記伝動チャンバ２６のうち左側に近接している底壁には凹みスペース４６が設置され、前記凹みスペース４６の左右両側の内壁の間には横軸５１が回転できるように設置され、前記横軸５１の外周には回転盤５２が固定的に設置され、前記回転盤５２には円形穴５０が設置され、前記凹みスペース４６の中には二つの水入りパイプ２５が設置され、二つの前記水入りパイプ２５は前記回転盤５２に関して左右対称的に設置され、右側の前記水入りパイプ２５が前記貯水チャンバ２３と連通しており、左側の前記水入りパイプ２５が外部空間の水源と連通しており、前記回転盤５２は二つの前記水入りパイプ２５の間に回転することによって、左右両側の前記水入りパイプ２５が連通しなくなり、前記第二モーター４０を制御して作動させることによって、前記伝動軸２９が回転し、さらに前記縦軸４７が回転し、それによって前記回転盤５２が回転し、左右両側の前記水入りパイプ２５を塞ぎ、加熱の時に、前記貯水チャンバ２３の中の水は外部空間の水源と熱交換が発生し、熱量は失いすぎることを防止する。
【００２４】
有益なまたは例示のように、前記貯水チャンバ２３の底壁には水出管路１４が固定的に設置され、前記水出管路１４の底部の部分が前記メインケースの外に伸びており、また前記メインケース１０の外に位置している前記水出管路１４の外周にはシャワー用管路１３がネジで締まれるように取り付けられ、前記シャワー用管路１３の内部が前記貯水チャンバ２３と連通している。
【００２５】
使用の時に、中央制御装置１８は第二モーターを制御して作動させ、それによって動力軸４４が回転し、動力軸４４が動力リール４１を回転連動させ、さらに引き紐３６が阻止用板３４を引き動かして左方へスライドさせて開け、それと同時に動力ベベルギヤ４２が従動ベベルギヤ４５を回転連動させ、さらに伝動軸２９が回転し、それによって動力プーリ２８が回転し、それによってベルト２７が従動プーリ４８を引き動かして回転させ、それによってギヤ４９が回転盤５２を回転連動させ、それによって円形穴５０が下方に回転し、さらに水入りパイプ２５が貯水チャンバ２３と連通し、外部空間の水源が貯水チャンバ２３の中に入り、同時に水がスライドチャンバ３１の中に入り、それによって漂いスライドブロック３２が上方へスライドし、水がいっぱいになった時、第二センサー３３が第一センサー３０と接触し、それによって第一センサー３０が中央制御装置１８に信号を出し、それによって中央制御装置１８が第二モーター４０を制御して反転させ、それと同時に中央制御装置１８が第一モーター１９と電熱網１６とを制御して作動させ、それによって水が加熱されて回転板２１が回転し、加熱効率を高め、設定された温度まで加熱した後、中央制御装置１８が第一モーター１９を自動的に制御して停電させ、お湯を使い、使い終わった後に中央制御装置１８が第二モーター４０を制御して作動させ、阻止用板機構７３を開け、円形穴５０が水入りパイプ２５と連通し、さらに水を貯水チャンバ２３の中に入らせ、貯水チャンバ２３の内部を水で充填し、次に使用する時に中央制御装置１８によって加熱機構６１を制御すれば良い。
【００２６】
本発明の有益な効果は：本発明の電気温水器は加熱機構と撹拌機構とによって水を加熱することができ、撹拌機構の中の回転板は水を貯水チャンバの中で均等に撹拌でき、それによって水をより速く加熱し、時間を節約し、もっと省エネルギーであり、しかも電気温水器は貯水チャンバの中の水がない時に、水を自動的に入れる作動を行え、次回に水を直接に加熱して使うことに便利を与え、それと同時に構成が簡単で、ギヤと回転軸との協働によって伝動がもっと安定し、そのほか、本電気温水器は操作が便利で、普及しやすい。
【００２７】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。